(57)【特許請求の範囲】
【請求項１】
所定のスケジューリング方式に基づいて時間スロット毎にデータを送信する端末を決定する基地局において、
端末における基地局信号の受信状態が良好である端末に優先的に下りデータを送信する第１のスケジューリング方式と前記受信状態に依存せずに送信する端末を決定する第２のスケジューリング方式とを格納する記憶手段と、
端末の移動状況を判断する移動状況判断手段と、
端末の移動状況に応じて、前記記憶手段に格納されたいずれかのスケジューリング方式を選択する選択手段と、
選択された前記スケジューリング方式に基づいて、時間スロット毎にデータを送信する端末を決定する端末決定手段と、
を具備し、
前記選択手段は、静止している端末が所定台数未満である場合には、端末における基地局信号の受信状態が良好である端末に優先的に下りデータを送信する第１のスケジューリング方式を選択する一方、静止している端末が所定台数以上である場合には、前記受信状態に依存せずに送信する端末を決定する第２のスケジューリング方式を選択することを特徴とする基地局。
【請求項２】
通信中の全端末へのデータ通信量を示すスループットを検出するスループット検出手段を更に備え、
前記静止している端末が所定台数以上であり、且つ、前記スループットが所定の値以下となった場合には、前記選択手段は、前記第１のスケジューリング方式を選択することを特徴とする請求項１に記載の基地局。
【請求項３】
前記静止している端末が所定台数以上である期間において、前記選択手段が、所定の時間間隔又は所定の時間スロット数毎に、前記第１のスケジューリング方式と前記第２のスケジューリング方式とを交互に選択することを特徴とする請求項１又は請求項２に記載の基地局。
【請求項４】
所定のスケジューリング方式に基づいて時間スロット毎にデータを送信する端末を決定するデータ送信方法において、
端末の移動状況を判断する過程と、
端末の移動状況に応じて、予め登録されている複数の異なるスケジューリング方式の中から、いずれかのスケジューリング方式を選択する過程と、
選択された前記スケジューリング方式に基づいて、時間スロット毎にデータを送信する端末を決定する過程と
を具備し、
前記選択する過程は、静止している端末が所定台数未満である場合には、端末における基地局信号の受信状態が良好である端末に優先的に下りデータを送信する第１のスケジューリング方式する一方、静止している端末が所定台数以上である場合には、前記受信状態に依存せずに送信する端末を決定する第２のスケジューリング方式を選択することを特徴とするデータ送信方法。
【発明の詳細な説明】
【０００１】
【発明の属する技術分野】
本発明は、下りデータ通信に時分割方式を採用する基地局に係り、特に、下りデータ通信の無線効率を改善した基地局及びデータ送信方法に関する。
【０００２】
【従来の技術】
近年、次世代の高速無線通信方式としてcdma2000 1xEV-DO方式が開発されている。
上記cdma2000 1xEV-DO方式は、cdma2000 1xの拡張方式であるHDR（High Data Rate）方式を標準化した方式として、電波産業会ARIBにおいてStd.T-64 1S-2000 C.S.0024“cdma2000 High Rate Packet Data Air Interface Specification"で標準化されているもので、国内ではARIB T-53、北米、韓国等ではEIA/TIA/IS-95等を拡張し、第３世代方式（３Ｇ）に対応させたcdma2000 1x方式を更にデータ通信に特化して通信速度を改善することを目的とした方式である。
なお、cdma2000 lx-EV DOにおいて、EVはEvolution、DOはData onlyの意である。
【０００３】
cdma2000 1x-EV DO方式では、携帯端末（以下、適宜「端末」と略記する）から受信した受信状態を通知する情報に基づいて、基地局が当該端末へ送信するデータの変調方式を切り替えることにより、当該端末の受信状態が良好な時は誤り耐性が低いが高速なデータ伝送レート、電波状態が悪いときは低速だが誤り耐性の高いデータ伝送レートを使用することが可能となる。
この方式では、下りデータ通信速度は、従来のcdmaOne方式のように受信状態を示すＣＩＲ（搬送波対干渉比）の瞬時の値で単純に決定されるのではなく、予測や過去の下りデータ伝送の誤り率等の統計データによる補正等により変化する。すなわち、現在普及している通信方式であるＣＤＭＡでは、cdma2000 1x-EV DO方式のように、場所によるデータ通信速度の変化がそれほど顕著でないことから、受信状態等の判断も、基地局から受信するパイロット信号から求めたEc/Io（パイロット信号強度対全受信信号強度）、ＣＩＲ等の瞬時値に基づいて行う程度のものであった。
【０００４】
これに対し、cdma2000 1x-EV DO方式では、予測や過去の下りデータ伝送の誤り率等の統計データによる補正等を考慮して求められた極めて正確なデータ通信速度を直接的に示す予測下りデータ通信速度（ＤＲＣ；Data Rate Control Bit）をテーブルとして端末側が備え、このテーブルに基づいて、上記予測下りデータ通信速度を端末から前記基地局へ通知するようになっている。これにより、上記した種々の通信レートでのデータ通信が行われる。
【０００５】
また、cdma2000 1x-EV DO方式の下り方向（基地局から端末への方向）におけるデータ通信では、時間を1/600秒単位（以下、「分割時間」あるいは「時間スロット」という）に分割し、その時間内では一つの端末だけとの通信を行い、通信相手の端末を時間により切り替えることにより複数の端末と通信を行う、時分割多重アクセス（TDMA；time division multiplex access）を採用している。これにより、常に、個々の端末に対して最大の電力を持ってデータ送信を行うことが可能となり、端末間で行うデータ通信を最速の通信速度で行うことができる。
【０００６】
この時分割多重アクセスにおいて、基地局側は、通常、スケジューリング方式とよばれる所定の条件に基づいて、時間スロット毎に通信を行う端末を決定している。以下、スケジューリング方式の一例について図６を参照して説明する。
図６は、端末Ｘ、Ｙに基地局３００が下りデータを送信する例を示し、時間Ｔ１０、Ｔ１２では端末Ｘに、時間Ｔ１１、Ｔ１３では端末Ｙにデータを時分割多重で送信するものとする。ここで、下りデータの通信レートは、各端末Ｘ，Ｙから送信されるＤＲＣに基づき決定されるが、時間Ｔ１０〜Ｔ１３の間では両者のＤＲＣが等しいと仮定する。
【０００７】
このような仮定をした場合、各時間スロットへの各端末の割当ての時間変化は図７に示すようになる。この図において、基地局３００は、各スロットに割り当てる端末を次式により決定する。
ＤＲＣ／Ｒ（Ave）                                            （１）
ここで、Ｒ（Ave）は、各端末が直近１０００スロット分でそれぞれ受信したデータ通信レートの平均値を示す。例えば時間Ｔ１０において、基地局１０は、各端末Ｘ，Ｙから送信されたＤＲＣとＲ（Ave）とに基づき、各端末について式１による値を計算し、値の大きい方の端末に時間Ｔ１０で下りデータを送信する。例えば、Ｔ１０で端末Ｘにデータが送信されると、端末Ｙの時間Ｔ１０でのデータ通信レートは０になるので、その分、端末ＹのＲ（Ave）が小さくなる。つまり、次の割当て時間Ｔ１１においては、式１による値は端末Ｙの方が端末Ｘより大きくなるので、Ｔ１１では端末Ｙに時間スロットが割り当てられ、下りデータが送信されることになる。このようにして、時間Ｔ１０〜Ｔ１３の間では端末Ｘ、Ｙに対して交互に（１：１で）時間スロットが割り当てられ、送信されるデータ量も各端末で等しくなる。
【０００８】
以上の方法で各時間スロットに端末を割り当てることで、基地局と接続されている各端末に公平に下りデータを送信することができ、１つの端末が基地局を占有する不具合が防止される。
【０００９】
【発明が解決しようとする課題】
上述したスケジューリング方式では、過去の平均受信データレートに対して、現在のＤＲＣの改善度合いが大きい端末に対して基地局が時間スロット単位での下りデータの送信を行うため、各端末からのＤＲＣがある程度変動している状態、即ち、移動している端末が多い状態では、各端末に対して公平に下りデータを送信することが可能である。
しかしながら、静止している端末が多い場合、即ち、ＤＲＣの変動が小さい端末が多いような場合には、ＤＲＣの改善度合いが大きい移動中の端末への下りデータの送信が集中してしまい、静止中の端末に下りデータの送信が行われる頻度が極めて少ないという状況が起こりうる。
この結果、静止中の端末には、下りデータを送信する機会が滅多に与えられないこととなり、ダウンロードが速やかに実行できず、静止中の端末ユーザに対して、不信感や不満感を与えてしまうという問題があった。
【００１０】
本発明は、このような事情に鑑みてなされたもので、時分割多重で端末に下りデータを送信する際、最適なスケジューリングを行うことにより、無線効率を高めることを目的とする。
【００１１】
【課題を解決するための手段】
上記目的を達成するために、本発明は、所定のスケジューリング方式に基づいて時間スロット毎にデータを送信する端末を決定する基地局において、端末における基地局信号の受信状態が良好である端末に優先的に下りデータを送信する第１のスケジューリング方式と前記受信状態に依存せずに送信する端末を決定する第２のスケジューリング方式とを格納する記憶手段と、端末の移動状況を判断する移動状況判断手段と、端末の移動状況に応じて、前記記憶手段に格納されたいずれかのスケジューリング方式を選択する選択手段と、選択された前記スケジューリング方式に基づいて、時間スロット毎にデータを送信する端末を決定する端末決定手段と、を具備し、前記選択手段は、静止している端末が所定台数未満である場合には、端末における基地局信号の受信状態が良好である端末に優先的に下りデータを送信する第１のスケジューリング方式を選択する一方、静止している端末が所定台数以上である場合には、前記受信状態に依存せずに送信する端末を決定する第２のスケジューリング方式を選択することを特徴とする基地局を提供する。
【００１２】
これにより、各端末の移動状況（ゾーン内に存在する全端末の内、静止中の端末が占める割合）に応じて、基地局から時間スロット毎に下りデータを送信する端末を適切に割り当てることができ、移動中の端末に集中して下りデータの送信が行われることを回避することができ、静止中、移動中に拘わらず通信中の端末に均等に下りデータを送信することが可能となる。
【００１４】
このように、ゾーン内又はゾーンを複数に分割したエリアであるセル（セクタ）に存在する全端末の内、静止中の端末が占める割合が低い場合には、基地局信号の受信状態を示すＤＲＣの値が高い端末に優先的に下りデータを送信するスケジューリング方式を採用し、一方、静止中の端末が占める割合が高い場合には、ＤＲＣの値に拘わらないスケジューリング方式、例えば、通信中の各端末に対して順番に下りデータの送信を行う。
これにより、移動中の端末に集中して下りデータの送信が行われることを回避することができ、静止中、移動中に拘わらず通信中の端末に均等に下りデータを送信することが可能となる。なお、ＤＲＣの値に拘わらないスケジューリング方式としては、ラウンド・ロビン方式が挙げられる。なお、この方式に限らず、受信状態に拘わらずに下りデータを送信するスケジューリング方式であれば、全て上記第２のスケジューリング方式に該当するものとする。また、記憶手段に上記第２のスケジューリング方式が複数記憶されていた場合には、そのうちの１つを選択すればよい。
【００１５】
また、本発明の基地局において、通信中の全端末へのデータ通信量を示すスループットを検出するスループット検出手段を更に備え、前記静止している端末が所定台数以上であり、且つ、前記スループットが所定の値以下となった場合には、前記選択手段は、前記第１のスケジューリング方式を選択することを特徴とする。
【００１６】
このように、静止している端末が所定台数以上であっても、スループットが所定の値以下となった場合には、第１のスケジューリング方式、即ちＤＲＣに依存するスケジュール方式を採用して下りデータの送信を行うことにより、スループットが極めて低くなる状態を回避することができ、一定の通信効率を確保しながらデータ送信を行うことが可能となる。
【００１７】
また、本発明の基地局において、前記静止している端末が所定台数以上である期間において、前記選択手段が、所定の時間間隔又は所定の時間スロット数毎に、前記第１のスケジューリング方式と前記第２のスケジューリング方式とを交互に選択することを特徴とする。
【００１８】
このように、静止している端末が所定台数以上である期間において、所定時間間隔又は所定の時間スロット数毎に、第１のスケジューリング方式、即ちＤＲＣに依存するスケジュール方式を採用して下りデータの送信を行い、第２のスケジューリング方式を採用しての下りデータの送信を一定期間に制限する。
これにより、ＤＲＣの値に依存しないスケジューリング方式を採用することによるスループットの悪化を阻止することができ、通信効率を一定以上に保ちながら、通信中の各端末にできるだけ均等に下りデータを送信することができる。
【００１９】
また、本発明は、所定のスケジューリング方式に基づいて時間スロット毎にデータを送信する端末を決定するデータ送信方法において、端末の移動状況を判断する過程と、端末の移動状況に応じて、予め登録されている複数の異なるスケジューリング方式の中から、いずれかのスケジューリング方式を選択する過程と、選択された前記スケジューリング方式に基づいて、時間スロット毎にデータを送信する端末を決定する過程とを具備し、前記選択する過程は、静止している端末が所定台数未満である場合には、端末における基地局信号の受信状態が良好である端末に優先的に下りデータを送信する第１のスケジューリング方式を選択する一方、静止している端末が所定台数以上である場合には、前記受信状態に依存せずに送信する端末を決定する第２のスケジューリング方式を選択することを特徴とするデータ送信方法を提供する。
【００２０】
このようにすると、各端末の移動状況（ゾーン内に存在する全端末の内、静止中の端末が占める割合）に応じて、基地局から時間スロット毎に下りデータを送信する端末を適切に割り当てることができ、下りデータを取得する端末側の利便性が高まる。また、効率的に下りデータの送信を行うことが可能となる。
【００２２】
【発明の実施の形態】
以下、図面を参照し、本発明の一実施形態について説明する。
まず、本発明の基地局が通信方式として採用するcdma2000 1x EV-DO方式の概要について、図３〜図５を参照して説明する。
図３は、本発明の一実施形態における基地局を含む通信システム全体におけるデータの流れを説明するためのネットワーク構成図である。
同図において、基地局３０、３０Ａ、３０Ｂ…は各基地局を管理する交換局４０を介してインターネットや公衆網等のネットワーク８０に接続され、他の無線通信システム（キャリア）６０や、情報（コンテンツ）を配信するサーバ７０等とデータのやりとりを行えるようになっている。
【００２３】
また、各基地局３０、３０Ａ、３０Ｂ…には端末Ａ、Ｂ等と無線通信を行うためのゾーンが割り当てられ、交換局４０は、端末Ａ、Ｂ等が移動してゾーンが変わる毎に、対応する基地局への切り替え処理を行うようになっている。
【００２４】
上述したような通信システムにおいて、端末Ａが以下のような要求を発した場合におけるデータの流れについて簡単に説明する。
まず、端末Ａのユーザがコンテンツサーバ７０からコンテンツＺを取得するための要求を送信すると、係る要求は、端末Ａが属するゾーンを管理する基地局３０に送信される。基地局３０は、交換機４０、ネットワーク８０を介してコンテンツサーバ７０へ端末Ａとの接続要求を出す。そして、コンテンツサーバ７０がこの接続要求に応じることにより、端末Ａとコンテンツサーバ７０との通信回線が接続され、コンテンツサーバ７０から対応するコンテンツＺのデータがネットワーク８０、交換機４０を介して基地局３０へ届けられる。
【００２５】
基地局３０は、コンテンツサーバ７０からコンテンツＺのデータを端末Ａ宛の下りデータとして取得すると、この下りデータを種々の条件に基づいて時分割多重方式によって端末Ａに対して送信する。これにより、端末Ａのユーザは、コンテンツＸを取得することができる。
なお、上述したようにネットワーク側から取得した各端末宛の下りデータをどのような手法によって各端末へ送信するかが本発明の要旨であり、この詳細については、後述する。
【００２６】
次に、cdma2000 1x-EV DO方式を採用する上記端末Ａについて説明する。
図４は、上記端末Ａの構成例を示す図である。同図に示すように、端末Ａは、アンテナ１、共用器３、復調器５、及び変調器１９からなるＲＦ部と、復号器７、予測器１１、後述のテーブルを格納するＣＩＲ−ＤＲＣ変換部１３、及びマルチプレクサ（ＭＵＸ；Multiplexer）１５からなるベースバンド処理部と、ＣＰＵ９と、各種情報を格納するメモリ２１と、液晶ディスプレイ等からなる表示部２３と、キーパッド、キーボード等の操作部２５とを備えている。
また、当該端末Ａを無線モデムとして使用できるように、パーソナルコンピュータ（ＰＣ）２９との外部インターフェース（例えばシリアルポート、パラレルポート、ＵＳＢ、blue-tooth、赤外線通信、１０base-T LAN等）２７を備えている。
【００２７】
次に、上記構成からなる端末Ａについて、cdma2000 1x-EV DO方式の動作概要を説明する。
端末Ａによって受信された基地局３０からの下りパイロット信号は、アンテナ１、共用器３を経由して復調器５により復調される。このとき、復調器５は、基地局３０から受信した受信信号の変調方式に対応する復調方式によって、ベースバンド帯域の受信信号から多重化信号を復調する。なお、復調方式としては、ＱＰＳＫ（quadriphase phase shift keying）、８ＰＳＫ（８ phase shift keying）、１６ＱＡＭ（１６ quadriphase amplitude modulation）等の復調方式が挙げられる。
【００２８】
復調器５によって復調された受信データは、復号器７へ出力され、復号器７によって復号処理される。即ち、スペクトル拡散されている受信多重化信号をスペクトル逆拡散する。
ここで、自局に割り当てられた受信データ（例えば、通話相手からの通話信号やダウンロードを希望したデータ等）があった場合には、受信データは復号器７からＣＰＵ９へ出力される。この受信データは、ＣＰＵ９内において処理されるか、又はＣＰＵ９及び外部インターフェース２７を経由して外部のＰＣ等２９へ送られる。
更に、復号器７は復号処理の過程において、Ec/Io（パイロット信号強度対全受信信号強度）を求め、次式によりＣＩＲ（搬送波対干渉比）を算出する。
ＣＩＲ=(Ec/lo)/(１-Ec/lo)                                    （２）
【００２９】
上述の式２に基づいて求められたＣＩＲは、復号器７から予測器１１に出力され、予測器１１において、次の受信スロットタイミング(ここで、1スロットは1.66ms=1/600秒)におけるＣＩＲの値が予測される。
ここでの予測の方法については、特に限定しないが、線形予測等の方法が例として挙げられる。
また、上記予測器１１が何スロット後のＣＩＲを予測すればよいかを指示する情報は、当該端末の電源オン時に基地局から送信されてくる種々の制御信号に含まれている。
そして、予測器１１によって求められた予測ＣＩＲは、続くＣＩＲ−ＤＲＣ変換部１３へ出力される。
【００３０】
ＣＩＲ−ＤＲＣ変換部１３は、図５に示す（ＣＩＲ−ＤＲＣ変換）テーブルを備え、このテーブルに基づいて、予測ＣＩＲをＤＲＣに変換する。このＤＲＣとは、予測ＣＩＲから期待される、当該端末において所定の誤り率以下で受信可能な最高通信速度である。
ここで、図５に示すように、ＣＩＲ−ＤＲＣ変換テーブルには、基準ＣＩＲに対応するＤＲＣが定義されている。ＣＩＲ−ＤＲＣ変換部１３は、入力された予測ＣＩＲが基準ＣＩＲであった場合には、そのＣＩＲに対応するＤＲＣをＣＰＵ９へ出力する。一方、予測器１１から入力された予測ＣＩＲが基準ＣＩＲでなかった場合には、入力された予測ＣＩＲに最も近い基準ＣＩＲに対応するＤＲＣを取得するか、又は、入力された予測ＣＩＲに最も近い２値のＣＩＲから補間することにより、補間したＣＩＲに対応するＤＲＣを取得する。
これにより、各予測ＣＩＲに応じたＤＲＣを取得することができ、より正確な受信状態を基地局に対して通知することが可能となる。
【００３１】
上述したように求められたＤＲＣは、ＣＩＲ−ＤＲＣ変換部１３からＣＰＵ９へ出力される。ＤＲＣが入力されると、ＣＰＵ９は、当該端末において生成された、又は、外部のＰＣ等２９から外部インターフェース２７を経由して入力された送信データがあるか否かを判断する。そして、送信データがある場合には、ＣＰＵ９は、上述したＤＲＣと共にこの送信データをマルチプレクサ１５へ出力する。一方、送信データがない場合には、ＣＩＲ−ＤＲＣ変換部１３から入力されたＤＲＣをマルチプレクサ（ＭＵＸ；Multiplexer）１５へ出力する。
【００３２】
ＣＰＵ９から出力されたＤＲＣや送信データは、マルチプレクサ１５によって多重化され、符号化器１７によって更に符号化され、変調器１９によって特定の変調方式（例えば、ＱＰＳＫ）により変調され、共用器３及びアンテナ１を経由して基地局へ送信される。
【００３３】
更に、本実施形態においては、端末Ａは図示しない位置情報取得機能を備えている。これは、ＧＰＳから自己の位置情報を取得する機能であり、具体的には、ＣＰＵ９が所定期間毎にアンテナ１、共用器３、ＲＦ部を介してＧＰＳから位置情報を取得することで行われる。また、ＣＰＵ９は、ＧＰＳから取得した自己の位置情報を所定のタイミングで基地局へ送信することにより、基地局に対して自己の移動状況を通知する。
【００３４】
次に、図１に本発明の一実施形態に係る基地局の概略構成を示す。
同図に示すように、基地局３０は、ネットワーク網を介して種々の情報を送受するためのインターフェース（Ｉ／Ｆ）部３１、スケジューラ等を備える制御部３２、無線通信網を介して上述した端末Ａ，Ｂ等との通信を行うためのＲＦ部３３等を備えている。
【００３５】
上記制御部３２は、所定のスケジューリング方式に基づいてデータ送信を行う端末を決定するスケジューラ５０と、セクタスループットを監視し、スループットの変化に応じて所定の信号をスケジューラ５０へ出力するセクタスループット監視部４３と、各端末から所定のタイミングで通知される位置情報を端末毎に記憶する端末位置情報記憶部４１と、端末移動状況検出部４２とを備えている。
【００３６】
上記端末位置情報記憶部４１に格納される位置情報は、現在基地局と通信中の端末の位置情報のみであり、待ち受け状態の端末から受信した位置情報はスケジューリングの対象とはならないので端末位置情報記憶部４１には格納されない。
【００３７】
また、上記端末移動状況検出部４２は、端末位置情報記憶部４１に格納されている各端末の位置情報に基づいて、各端末が移動中であるのか、静止中であるのかを判断する。具体的には、例えば、端末Ａから受信した最新の位置情報と前回受信した位置情報とを比較し、その移動量が所定値を越えていた場合には、端末Ａは移動中であると判断する。一方、移動量が所定値以下であった場合、即ち、移動量が０に近い場合には、端末Ａは静止していると判断する。そして、このような方法により、各端末について移動中か静止中かを判断すると、現在静止中の端末が全体の何割に当たるかを算出する。そして、静止中の端末が全体（全端末台数）に対して占める割合が所定値以上であれば、その旨の信号をスケジューラ５０に対して出力する。
【００３８】
また、上記セクタスループット監視部４３は、通信中の全端末へのデータ通信量を示すスループットを検出し、この結果をスケジューラ５０へ出力する。
【００３９】
また、上記スケジューラ５０は、複数のスケジューリング方式が格納されている記憶部５１、セクタスループット監視部４３及び端末移動状況検出部４２からの情報に基づいていずれかのスケジューリング方式を選択する選択部５２、選択部５２によって選択されたスケジューリング方式に基づいて時間スロット毎に下りデータを送信する端末を決定する端末決定部５３とを備えている。
【００４０】
上記記憶部５１には、異なる２つのスケジューリング方式が格納されており、その中の一つは、端末における基地局信号の受信状態が良好である端末に優先的に下りデータを送信するスケジューリング方式αであり、もう一つは、受信状態に依存せずに送信する端末を決定するスケジューリング方式βである。
例えば、スケジューリング方式αは、上述したようなＤＲＣ／Ｒが最も高い端末に対して下りデータを送信するスケジューリング方式であり、スケジューリング方式βは、例えば、ラウンド・ロビン方式でのスケジューリング方式である。このラウンド・ロビン方式は、通信中の各端末に対して順番に時間スロットを割り当てるスケジューリング方式であり、
▲１▼静止中の端末で、且つ、高いＤＲＣを報告した端末
▲２▼静止中の端末で、且つ、低いＤＲＣを報告した端末
▲３▼移動中の端末
というように、グループ分けを行い▲１▼→▲２▼→▲３▼の順で時分割単位での基地局からの送信割り当てを行う。
なお、時間スロット単位での各端末への送信に使用される伝送速度については、基本的に端末からのＤＲＣを基にできるだけ高い伝送速度を使用して移動中の端末との通信を行う。
【００４１】
また、上記記憶部５１及び端末位置情報記憶部４１は、ハードディスク装置や光磁気ディスク装置、フラッシュメモリ等の不揮発性のメモリや、ＲＡＭ（Random Access Memory）のような揮発性のメモリ、あるいはこれらの組み合わせによるコンピュータ読み取り、書き込み可能な記録媒体より構成されるものとする。また、選択部５２、端末決定部５３、セクタスループット監視部４３、及び端末移動状況検出部４２は、それぞれ、専用のハードウェアにより実現されるものであってもよく、また、メモリおよびＣＰＵ（中央演算装置）により構成され、各部の機能を実現するためのプログラムをメモリにロードして実行することによりその機能を実現させるものであってもよい。
【００４２】
また、上記ＲＦ部３３は、アンテナからの受信信号の周波数を基地局内部で使用する信号周波数へ変換し、所定の復調器で復調した後、時分割多重アクセス（TDMA；time division multiplex access）方式に従った受信制御を行うようになっている。又、アンテナから送信する際は、上記と逆に、TDMA方式に従って信号を多重化し、所定の変調器で変調した後、送信周波数への変換を行う。
【００４３】
次に、上記構成からなる基地局３０の動作、即ち、時間スロット毎に下りデータを送信する端末を決定する手順について図２を参照して説明する。
なお、図２に示すフローチャートは、スケジューラ５０の選択部５２が時間スロット毎或いは、もっと大きな単位（例えば１フレーム＝１６slot）毎に繰り返し行う処理である。また、選択部５２は、デフォルトでスケジューリング方式αを選択するものとする。
【００４４】
まず、選択部５２は、端末移動状況検出部４２から通知される信号に基づいて、全体の端末台数に対して静止中の端末が占める割合が所定値以上であるか否かを判断する（ステップＳＰ１）。この結果、静止中の端末の台数の割合が所定値を越えていた場合には、続いて、セクタスループット監視部４３から通知されるスループットの値が所定値以上であるか否かを判断する（ステップＳＰ２）。
この結果、スループットの値が所定値以上であれば、一定以上のスループットは確保されていると判断し、静止中の端末にも下りデータを送信できるように、スケジューリング方式βを選択する（ステップＳＰ３）。これにより、移動中の端末に下りデータの送信が集中することを防ぎ、静止中の端末にも平等に時間スロットが割り当てられることとなる。
【００４５】
続いて、移動中の端末に時間スロットの割り当てが集中することを防ぐかわりに、スループットの低下を招くスケジューリング方式βを採用することにより、徐々にスループットが低下する。そして、ステップＳＰ２において、スループットが所定値未満と判断した場合には、これ以上スループットが低下することを防止するために、スケジューリング方式αを選択する。これにより、ＤＲＣ／Ｒが高い端末に対して時間スロットが割り当てられるようになるため、徐々にスループットが回復する。
【００４６】
そして、徐々にスループットが回復し、ステップＳＰ２において、スループットが所定値以上であると判断すると（ステップＳＰ２において「NO」）、スケジューリング方式βを選択し（ステップＳＰ４）、静止中の端末にも時間スロットが割り当てられるようにする。
【００４７】
このようにして、静止中である端末の割合が所定値以上である期間においては、即ち、ステップＳＰ１において「YES」と判断されている期間においては、セクタスループット監視部４２から通知されるセクタスループットの値に応じて、いずれかのスケジューリング方式を選択する。
【００４８】
そして、静止中の端末が所定台数未満である旨の信号を端末移動状況検出部４２から受け取ると、静止中の端末が少なくなったために、スケジューリング方式αによっても、十分各端末に対して平等に時間スロットを割り当てることができると判断し、ステップＳＰ１において「NO」となり、スケジューリング方式αを選択する（ステップＳＰ４）。
【００４９】
このように、静止中の端末が占める割合が低い場合には、基地局信号の受信状態を示すＤＲＣの値が高い端末に優先的に下りデータを送信するスケジューリング方式αを採用し、一方、静止中の端末が占める割合が高い場合には、ＤＲＣの値に拘わらないスケジューリング方式β、例えば、通信中の各端末に対して順番に下りデータの送信を行う。
これにより、移動中の端末に集中して下りデータの送信が行われることを回避することができ、静止中、移動中に拘わらず通信中の端末に均等に下りデータを送信することが可能となる。
また、静止している端末の全体に対する割合が所定値以上であっても、スループットが所定の値以下となった場合には、これ以上のスループットの低下を防止するために、スループットを回復させる方式であるスケジューリング方式αを選択する。これにより、一定の通信効率を確保しながら各端末平等な下りデータの送信を行うことが可能となる。
【００５０】
なお、図２のステップＳＰ２においては、スループットの値に基づいてスケジューリング方式を変更していたが、これに代わって、方式を切り替えた時点からのスループットの変化量に基づいて、方式の切替を判断するようにしても良い。即ち、方式を切り替えた時点からのスループットのマイナスへの変化量が、所定値を越えた場合に、それ以上のスループットの低下を防止するために、スケジューリング方式を切り替えるようにしてもよい。
【００５１】
また、上記スループットに基づいて方式を切り替える処理に代わって、所定時間毎若しくは、時間スロット数毎にスケジューリング方式を交互に選択するようにしてもよい。このように、静止中の端末が占める割合が所定値以上の期間において、更に、所定時間間隔又は時間スロット数毎に方式を切り替えることにより、スケジューリング方式βを長時間採用することによるスループットの低下を抑制することができ、スループットの低下を阻止することが可能となる。
【００５２】
以上、この発明の実施形態を図面を参照して詳述してきたが、具体的な構成はこの実施形態に限られるものではなく、この発明の要旨を逸脱しない範囲の設計等も含まれる。
【００５３】
例えば、上述した実施形態では、スケジューリング方式として２つの方式を例にあげ、これらのうちのいずれかを選択する場合について述べたが、スケジューリング方式は２以上であれば、いくつでもよい。
また、３以上のスケジューリング方式を切り替えて採用する場合には、各方式を採用する静止中の端末の所定台数（全体の台数に対して静止中の端末が占める割合）をそれぞれ設けておく必要がある。
【００５４】
【発明の効果】
以上説明したように、本発明の基地局によれば、複数の異なるスケジューリング方式が格納されている記憶手段と、端末の移動状況を判断する移動状況判断手段と、端末の移動状況に応じて、いずれかのスケジューリング方式を選択する選択手段と、選択された前記スケジューリング方式に基づいて、時間スロット毎にデータを送信する端末を決定する端末決定手段とを具備するので、各端末の移動状況（ゾーン内に存在する全端末の内、静止中の端末が占める割合）に応じて、基地局から時間スロット毎にデータを送信する端末を適切に割り当てることができ、移動中の端末に集中してデータの送信が行われることを回避することができ、静止中、移動中に拘わらず通信中の端末に均等にデータを送信することが可能となる。
【００５５】
また、本発明の基地局によれば、ゾーン又はゾーンを複数に分割したセクタ内に存在する全端末の内、静止中の端末が占める割合が低い場合には、基地局信号の受信状態を示すＤＲＣの値が高い端末に優先的にデータを送信するスケジューリング方式を採用し、一方、静止中の端末が占める割合が高い場合には、ＤＲＣの値に拘わらないスケジューリング方式、例えば、通信中の各端末に対して順番にデータの送信を行うので、移動中の端末に集中してデータの送信が行われることを回避することができ、静止中、移動中に拘わらず通信中の端末に均等にデータを送信することが可能となる。
【００５６】
また、本発明の基地局によれば、静止している端末が所定台数以上であっても、スループットが所定の値以下となった場合には、第１のスケジューリング方式、即ちＤＲＣに依存するスケジュール方式を採用してデータの送信を行うことにより、スループットが極めて低くなる状態を回避することができ、一定の通信効率を確保しながらデータ送信を行うことが可能となる。
【００５７】
また、本発明の基地局によれば、静止している端末が所定台数以上である期間において、所定時間間隔又は所定の時間スロット数毎に、第１のスケジューリング方式、即ちＤＲＣに依存するスケジュール方式を採用してデータの送信を行い、第２のスケジューリング方式を採用してのデータの送信を一定期間に制限する。これにより、ＤＲＣの値に依存しないスケジューリング方式を採用することによるスループットの悪化を阻止することができ、通信効率を一定以上に保ちながら、通信中の各端末にできるだけ均等にデータを送信することができる。
【００５８】
また、本発明のデータ送信方法によれば、各端末の移動状況（ゾーン内に存在する全端末の内、静止中の端末が占める割合）に応じて、基地局から時間スロット毎にデータを送信する端末を適切に割り当てることができ、移動中の端末に集中してデータの送信が行われることを回避することができ、静止中、移動中に拘わらず通信中の端末に均等にデータを送信することが可能となる。
【図面の簡単な説明】
【図１】  本発明の一実施形態に係る基地局の概略構成を示すブロック図である。
【図２】  本発明の一実施形態に係る基地局の動作を示すフローチャートを示す図である。
【図３】  本発明の一実施形態に係る携帯通信システムの概略構成を示す図である。
【図４】  本発明の一実施形態に係る携帯端末の概略構成を示す図である。
【図５】  ＣＩＲ−ＤＲＣ変換テーブルの一例を示す図である。
【図６】  従来の基地局から２つの携帯端末にデータを送信する態様を示す図である。
【図７】  図６において、各端末に時間スロットを割り当てる態様を示す図である。
【符号の説明】
３０  基地局
３１  インターフェース部
３２  制御部
３３  ＲＦ部
４１  端末位置情報記憶部
４２  端末移動状況検出部（移動状況判断手段）
４３  セクタスループット監視部（スループット検出手段）
５０  スケジューラ
５１  記憶部（記憶手段）
５２  選択部（選択手段）
５３  端末決定部（端末決定手段）
Ａ，Ｘ，Ｙ  携帯端末（端末）
【図１】
0003970635.tif 000002
【図２】
0003970635.tif 000003
【図３】
0003970635.tif 000004
【図４】
0003970635.tif 000005
【図５】
0003970635.tif 000006
【図６】
0003970635.tif 000007
【図７】
0003970635.tif 000008